(57)【特許請求の範囲】
【請求項１】
遊技球を貯留する上皿と、該上皿の下方に設けられる下皿と、該下皿に設けられる球抜口と、前記上皿内に貯留された遊技球を前記下皿側へ排出する排出口とを少なくとも有するパチンコ遊技機であって、
前記下皿は、前記排出口から排出された遊技球を受け入れることができる第１受入位置と、該第１受入位置の側方にあって前記排出口から排出された遊技球を受け入れることができる第２受入位置と、前記第１受入位置と第２受入位置との中間にあって前記排出口からの遊技球を受け入れることができない非受入位置との間を変位可能に構成し、
前記下皿は、下皿が前記第１受入位置にあるときに前記排出口と連通して排出口からの遊技球を下皿内に取り込む第１取込口と、下皿が前記第２受入位置にあるときに前記排出口と連通して排出口からの遊技球を下皿内に取り込む第２取込口とを備え、これによって下皿が第１受入位置にあるときに該下皿の球抜口が臨む第１落下位置と、下皿が第２受入位置あるときに該下皿の球抜口が臨む第２落下位置とを構成するようにしたことを特徴とするパチンコ遊技機。
【請求項２】
遊技球を貯留する上皿と、該上皿の下方に設けられる下皿と、該下皿に設けられる球抜口と、前記上皿内に貯留された遊技球を前記下皿側へ排出する排出口とを少なくとも有するパチンコ遊技機であって、
前記下皿は、前記排出口の前方を開放または遮蔽する排出口開閉手段を備え、排出口を開放して遊技球を排出口から排出可能な複数の開放位置と、排出口の前方を遮蔽して遊技球を排出口から排出不能な閉塞位置とに変位可能に構成し、これによって前記下皿が何れかの開放位置にあるときには、排出口から排出される遊技球が下皿に収容され、下皿が排出口の閉塞位置にあるときには、排出口からの遊技球の排出が阻止される構成としたことを特徴とするパチンコ遊技機。
【発明の詳細な説明】
【技術分野】
【０００１】
本発明はパチンコ遊技機に関する。
【背景技術】
【０００２】
従来、パチンコ遊技機においては、入賞等によって遊技機側から出てきた遊技球は、先ず上皿に貯留されるようになっている。そして上皿に貯留されている遊技球の量が増えてくると、遊技者は必要に応じて上皿の遊技球を下皿に移すことを行っていた。下皿は上皿の下方に配置され、上皿の排出操作ツマミ等を操作することで、上皿内の遊技球が遊技機内を通って排出口から下皿に流下してくる構成になされている。
遊技球を貯留するものとして、更に球箱が使用されている。この球箱は持ち運び自在の箱であって、通常、下皿の下方の台（棚板）上に置かれ、下皿内に貯留されている遊技球が一杯になってきた場合、遊技者が遊技を終了する場合、或いはパチンコ台を移る場合等、必要に応じて下皿から遊技球を球箱に移すことが行われる。下皿から球箱への遊技球の移送は、下皿の底部に設けられた球抜口を開閉自在に開くことにより、遊技球を球箱に落下させて行っていた。
下皿から球箱に遊技球を移送させて溜める場合、下皿からの遊技球の落下位置が常に同じであるので、落下した遊技球が球箱内で偏って貯留されやすく、そのため未だ満杯ではないのにもかかわらず、球箱から遊技球がこぼれ落ちるようなことがあった。
【０００３】
従来のパチンコ遊技機として、例えば下皿の球抜口を移動可能にすると共に、球抜口の下端外側面に球ならし用の突起を設け、これによって遊技球を球箱に均等に貯留しようと工夫がなされたものが開示されている（特許文献１）。
また下皿が動くものとしては、下皿が回動することで、内部の遊技球を一気に球箱に流下させて移し替えることができるようにしたものが提供されている（特許文献２）。
【特許文献１】特開２００３−６２２７５号公報
【特許文献２】特開平９−１５５０４０号公報
【発明の開示】
【発明が解決しようとする課題】
【０００４】
上記した特許文献１の発明では、球抜口及び球ならし用の突起を移動させて、球箱内の遊技球を均等な貯留状態にしようとする場合においても、結局は遊技者が当該貯留状態を視覚的に或いは手を差し入れて触覚的に偏り状態を判断し、球抜口及び球ならし用突起の移動方向を決定する必要があった。
ところが従来のパチンコ遊技機では、一般に下皿はパチンコ遊技機の前面下方に固定的に設備されており、しかも球箱は下皿の直ぐ下方に接近した間隙で置かれるような構成となっているために、遊技者にとっては下皿で球箱が遮蔽された状態となり、このため通常の遊技姿勢のままでは球箱内の遊技球の貯留状態を視認して判断することが難しかった。また手を下皿と球箱の間に差し入れて貯留状態やその偏り具合を確認したり、またそれによってならし操作行う場合でも、下皿と球箱との間隙が狭いために作業が容易ではなかった。
また特許文献２の発明では、遊技球を下皿から一気に球箱へ移送することができるものの、下皿を回動させない通常時においては、やはり球箱が下皿の直下に近接状態で置かれるため、球箱が遮蔽されて、遊技球の貯留量や偏り具合の視認や、手による球ならし操作が簡単、容易にはできなかった。また下皿が回動することにより、球箱の上方が開放されて、球箱内の貯留球の視認性や球ならし操作の作業性が向上するものの、回動に伴って下皿内の遊技球は球箱に移送されてしまうため、下皿の貯留量を維持しつつ変位することができなかった。
【０００５】
そこで本発明は上記従来のパチンコ遊技機における問題を解消し、下皿の貯留量を維持したまま、該下皿の位置を容易に変位させることができ、上皿や下皿から球箱に移送された遊技球の貯留状態やその偏り具合を遊技者が容易に視認することが可能であると共に、上皿や下皿から球箱に遊技球を移送させる際に偏りを少なく移送させることが可能なパチンコ遊技機の提供を課題とする。
【課題を解決するための手段】
【０００６】
上記課題を達成するため、本発明のパチンコ遊技機は、遊技球を貯留する上皿と、該上皿の下方に設けられる下皿と、該下皿に設けられる球抜口と、前記上皿内に貯留された遊技球を前記下皿側へ排出する排出口とを少なくとも有するパチンコ遊技機であって、
前記下皿は、前記排出口から排出された遊技球を受け入れることができる第１受入位置と、該第１受入位置の側方にあって前記排出口から排出された遊技球を受け入れることができる第２受入位置と、前記第１受入位置と第２受入位置との中間にあって前記排出口からの遊技球を受け入れることができない非受入位置との間を変位可能に構成し、
前記下皿は、下皿が前記第１受入位置にあるときに前記排出口と連通して排出口からの遊技球を下皿内に取り込む第１取込口と、下皿が前記第２受入位置にあるときに前記排出口と連通して排出口からの遊技球を下皿内に取り込む第２取込口とを備え、これによって下皿が第１受入位置にあるときに該下皿の球抜口が臨む第１落下位置と、下皿が第２受入位置あるときに該下皿の球抜口が臨む第２落下位置とを構成するようにしたことを第１の特徴としている。
また本発明のパチンコ遊技機は、遊技球を貯留する上皿と、該上皿の下方に設けられる下皿と、該下皿に設けられる球抜口と、前記上皿内に貯留された遊技球を前記下皿側へ排出する排出口とを少なくとも有するパチンコ遊技機であって、
前記下皿は、前記排出口の前方を開放または遮蔽する排出口開閉手段を備え、排出口を開放して遊技球を排出口から排出可能な複数の開放位置と、排出口の前方を遮蔽して遊技球を排出口から排出不能な閉塞位置とに変位可能に構成し、これによって前記下皿が何れかの開放位置にあるときには、排出口から排出される遊技球が下皿に収容され、下皿が排出口の閉塞位置にあるときには、排出口からの遊技球の排出が阻止される構成としたことを第２の特徴としている。
【発明の効果】
【０００７】
上記請求項１に記載のパチンコ遊技機によれば、遊技者は上皿に溜まった遊技球を下皿に移送させようとするときは、下皿を第１受入位置に変位させて、下皿の第１取込口を排出口に連通させることで遊技球を移送させることができる。また下皿を第１受入位置の側方にある第２受入位置に変位させて、下皿の第２取込口を排出口に連通させることによっても遊技球を移送させることができる。
また遊技者は下皿を第１受入位置、第２受入位置、非受入位置の間で変位させる場合に、下皿内の貯留遊技球を放出したりすることなく、そのままの状態で変位させることができる。
また上皿からの遊技球を下皿で受けたくない場合には、下皿を非受入位置に変位させることで、排出口からの遊技球が下皿に移送されないようにすることができる。
また遊技者は、下皿が第１受入位置や第２受入位置にある場合でも、非受入位置にある場合においても、下皿の球抜口を開放する操作を行うことで、下皿内の遊技球を下方に落下させ、下方に置かれた球箱に移送させることができる。
また遊技者は下皿を側方に変位させることで、下皿を側方に退避させることができるので、下方に置かれる球箱を下皿との重なりから外れた状態に露出させることができる。よって遊技者は遊技姿勢を保ったままで露出した球箱を見ることが可能となり、球箱内の遊技球の貯留状態や偏り状態を確認することが可能となる。また露出状態において球箱内に簡単に手を差し入れて、遊技球の偏りを容易に球ならし作業することができる。
更に下皿が第１受入位置にあるときに下皿の球抜口を開放することで、遊技球を第１落下位置から落下させることができる。また下皿が第２受入位置にあるときに下皿の球抜口を開放することで、遊技球を第２落下位置から落下させることができる。第１落下位置と第２落下位置とは２箇所に分散されているので、下方に置かれる球箱に対して遊技球を分散させて落下させることが可能となる。即ち、第１落下位置と第２落下位置とを選択することで、遊技球を偏りなく球箱に貯留することが可能となる。
【０００８】
また請求項２に記載のパチンコ遊技機によれば、下皿を開放位置に変位・配置させることで、下皿の排出口開閉手段が排出口を開放し、遊技球を下皿に落下させることが可能となる。また下皿を遮蔽位置に変位・配置させることで、排出口を閉塞状態にして遊技球の排出口からの排出を阻止した状態にすることができる。従って、例えば排出口からの遊技球を下皿に受け入れる場合においても、一旦下皿を閉塞位置に変位させることで、遊技球が排出口から勢いよく飛び出すのを抑制し、その後に下皿を元の開放位置に戻すことで、排出口からの遊技球の飛び出し力を弱めた状態で確実に下皿に受け入れることができる。即ち、排出口から下皿に勢いよく飛び込んだ遊技球が跳ねて下皿の外へ飛び出すようなことを簡単な操作で予防できる。
【発明を実施するための最良の形態】
【０００９】
先ず本発明の実施形態に係るパチンコ遊技機の構成を、図１〜図３を参照して説明する。
図１は本発明の実施形態に係るパチンコ遊技機の正面図、図２は下皿装置の斜視図、図３は下皿装置の分解斜視図である。
【００１０】
パチンコ遊技機は、遊技領域１の下方の前面に上皿パネル２が設けられ、更に上皿パネル２の下に下皿パネル３、幕板４が設けられている。
前記上皿パネル２には、遊技者に貸し出された遊技球、或いは払い出された遊技球等を貯留可能な上皿５が前方に向って張り出されて設けられている。
下皿パネル３の前面の右端部には、発射ハンドル取付ボス（図２参照）６ａが前方に向って凸設され、更にその前方に発射ハンドル６が取り付けられている。
発射ハンドル６の左側方向には、下皿１１を含む下皿装置１０が取り付けられている。
【００１１】
前記幕板４には、下皿１１に対して配置される球箱７の位置決めを行う一対の位置決め部材８、８が設けられている。
一対の位置決め部材８、８は球箱７の左右方向の長さよりも僅かに大きな間隔をおいて配置されると共に、幕板４の前面から前方に向って突出して設けられている。
【００１２】
前記下皿１１を含む下皿装置１０について更に説明する。
下皿装置１０の下皿１１は、上方に開口した略箱状に形成される。上方に開口した内部空間は、遊技球を貯留可能な貯留部１１ａとされている。貯留部１１ａの下方の底部１１ｂには、貯留した遊技球を下方に放出する球抜口１１ｃが設けられている。この球抜口１１ｃは、下皿１１の底部１１ｂの左右方向の右側端部から左方に概ね下皿の横幅寸法の４分の１程度の位置で前後方向の略中央に開設されており、バネ付勢されたレバー１１ｄを操作することで開閉自在とされている。遊技者は必要に応じてレバー１１ｄを操作することで、下皿１１に貯留されている遊技球を下方へ落下・放出させて、球箱７に移送させることができる。底部１１ｂは球抜口１１ｃに向けて緩やかに傾斜するようにしている。
【００１３】
貯留部１１ａの後方の後壁部１１ｅには遊技球の第１取込口１１ｆと第２取込口１１ｇが設けられている。この第１、第２取込口１１ｆ、１１ｇは、後述する排出口１２に対応した高さ位置に貫通して形成されている。
第１取込口１１ｆは下皿１１の左端部より右方に概ね下皿１１の横幅寸法の４分の１程中央よりの位置に開設されている。
第２取込口１１ｇは、上記球抜口１１ｃから僅かに左側方であって、下皿１１の右端部より左方に概ね下皿１１の横幅寸法の４分の１程度中央よりの位置に開設されている。
第１、第２取込口１１ｆ、１１ｇの開口寸法は排出口１２と略同じとし、下皿１１が後述する右ストッパー１５に当接している状態で第１取込口１１ｆが排出口１２に重なり、排出口１２からの遊技球を下皿１１内に取り込み可能となる。また下皿１１が後述する左ストッパー１４に当接している状態で第２取込口１１ｇが排出口１２に重なり、排出口１２からの遊技球を下皿１１内に取り込み可能となる。
【００１４】
前記下皿パネル３には、上皿５に貯留されている遊技球を機内を介して排出する排出口１２が開口されている。上皿５に設けられた排出操作ツマミ５ａを操作することで、上皿５内の遊技球が機内を通って排出口１２から下皿１１へ排出される。
前記排出口１２を挟んで、下皿１１の左右方向への摺動をガイドする上下一対のガイドレール１３、１３が下皿パネル３に構成される。ガイドレール１３は断面がＬ字状をなし、該ガイドレール１３、１３に対して前記下皿１１の後壁部１１ｅの上縁と下縁が嵌り込む状態になされる。これによって下皿１１はガイドレール１３、１３にガイドされて左右方向（水平方向）に摺動自在とされる。
前記上下一対のガイドレール１３の左右両側方向には、略半円盤状に形成されると共に左右一対に構成された左ストッパー１４及び右ストッパー１５が設けられる。この左右のストッパー１４、１５は、前記下皿１１のガイドレール１３、１３への取り付け後に下皿パネル３に取り付けられる。
左右のストッパー１４、１５の裏面には位置決めのための位置決めボス１４ａ、１５ａが後方に向って突設されており、下皿パネル３の対応する箇所にボス孔１６、１６が穿設されている。
また左右のストッパー１４、１５の上下２箇所に取付ビス用皿孔１４ｂ、１５ｂが設けられている。この取付ビス用皿孔１４ｂ、１５ｂに対して左右のストッパー１４、１５を下皿パネル３に取り付け固定するための取付ビス１７が挿通される。下皿パネル３の対応する位置には、前記取付ビス１７が螺合されるビス用ネジ孔１８が設けられている。
【００１５】
図２を参照して、下皿装置１０が下皿パネル３に完成された状態においては、下皿１１がガイドレール１３、１３によってガイドされながら、左右水平方向に変位することができる。より具体的には、遊技球の貯留状態をそのまま維持した状態で左右水平方向に移動することができる。ここで、本明細書において「移動する」とは「変位する」の下位概念である。
そして下皿１１が右ストッパー１５に当接する位置において、下皿１１の第１取込口１１ｆが下皿パネル３の排出口１２に重なり、遊技球の排出口１２から取込口１１ｆを通って下皿１１内への移送が可能となる。
この下皿１１が右ストッパー１５に当接する位置では、球箱７は下皿１１の真下に配置された状態となる。この状態では、遊技者は上方から球箱７内を簡単に覗くことができない。また球箱７内に手を簡単に差し入れることができない。
一方、下皿１１が左ストッパー１４に当接する位置においては、下皿１１の第２取込口１１ｇが下皿パネル３の排出口１２に重なり、この場合も排出口１２から第２取込口１１ｇを通って下皿１１内への遊技球の移送が可能となる。
この下皿１１が左ストッパー１４に当接する位置では、球箱７はその略半部が下皿１１の下方から露出し、球箱７内を遊技者が上から簡単に覗くことが可能となる。また手を差し入れることも簡単に行える。
前記下皿１１が左右ストッパー１４、１５との当接位置から中央方向に移動すると、次第に排出口１２が下皿１１の後壁部１１ｅによって遮蔽されてゆき、ちょうど中間付近では排出口１２が完全に遮蔽される状態となる。
【００１６】
前記球箱７は、上部が開口した容器に構成されており、持ち運び自在である。この球箱７は、前記幕板４の一対の位置決め部材８、８間に位置決めされて配置される。球箱７の横寸法は下皿１１の横寸法と略同じであり、下皿１１が前記右ストッパー１５に当接した状態（図１、図２）においては、該下皿１１と前記位置決めされた球箱７とは、上下方向に整列することになる。
従って下皿１１が右ストッパー１５に当接した状態においては、下皿１１の底部１１ｂの球抜口１１ｃは球箱７の開口の右半部の中央付近に臨み、遊技球を球箱７に落下させることができる。
前記球箱７の横寸法は必ずしも下皿１１の寸法と同じである必要はない。また球箱７は必ずしも位置決め部材８、８によって位置決めされる必要はない。球箱７は、要するに下皿１１から落下してくる遊技球を受け入れることができるように、その大きさと配置がなされればよい。
前記下皿１１が右ストッパー１５に当接している状態は、下皿１１が第１受入位置にある状態である。また下皿１１が第１受入位置にある状態において、下皿１１の球抜口１１ｃが臨む位置を第１落下位置Ａとする。
【００１７】
一方、下皿１１が左ストッパー１４に当接した状態においては、下皿１１の球抜口１１ｃが、前記位置決めされた球箱７の左端部と中央との中間位置、言い換えれば球箱７の左端側から球箱７の左右寸法の４分の１程度中央に寄った位置になるように、前記左ストパー１４の位置を設定している。即ち、下皿１１が左ストッパー１４に当接している状態では、下皿１１の球抜口１１ｃからの遊技球は位置決め部材８、８によって位置決めされる球箱７の左半部の中央付近に臨み、遊技球を球箱７に落下させることになる。
前記下皿１１が左ストッパー１４に当接している状態は、下皿１１が第２受入位置にある状態である。また下皿１１が第２受入位置にある状態において、下皿１１の球抜口１１ｃが臨む位置を第２落下位置Ｂとする。
前記第１落下位置Ａは、位置決め部材８、８によって位置決めされた状態の球箱７に対して、球箱の右半部の中央付近となり、第２落下位置Ｂは、位置決めされた状態の球箱７に対して、球箱７の左半部の中央付近となり、遊技球の球箱７への落下位置を分散することが可能となる。
【００１８】
更に下皿１１が左ストッパー１４に当接した状態では、位置決めされた球箱７の開口の略右半部が排出口１２の下方に露出状態となる。この状態では、既述したように、遊技者は遊技姿勢のままで、球箱７の右半部の露出した部分から球箱７内の貯留球の状態や偏り状態を、視覚を通じて判断したり、確認したりすることができ、或いは簡単に手を入れて球の貯留状態や偏り状態を判断することができる。
【００１９】
前記下皿１１が左右ストッパー１４、１５の中間にある状態は、排出口１２からの遊技球を下皿１１が受け入れない非受入位置に在る状態である。勿論、この非受入位置においても、下皿１１の球抜口１１ｃを開放すると、遊技球は下皿１１の位置に応じて前記第１落下位置Ａと第２落下位置Ｂの間で落下し、下方に配置された球箱７内に移送される。
【００２０】
前記下皿１１の後壁部１１ｅとそこに設けられる第１取込口１１ｆ、第２取込口１１ｇの機能を別の観点から見ると、後壁部１１ｅ、第１取込口１１ｆ、第２取込口１１ｇは排出口１２の前方を開放または遮蔽する機能を有することから、排出口開閉手段を構成する。
そして排出口開閉手段である後壁部１１ｅが排出口１２を遮蔽している状態では、下皿１１は閉塞位置にある。この閉塞位置に下皿１１があるときには、排出口１２から遊技球が排出されるのが阻止される。
また排出口開閉手段である第１取込口１１ｆ若しくは第２取込口１１ｇが排出口１２に一致する状態では、下皿１１は開放位置にある。この開放位置に下皿１１があるときには、排出口１２の前方が開放され、遊技球が下皿１１に落下して入ることが可能となる。
また排出口開閉手段が排出口１２を部分的に閉塞する位置にある場合には、排出口１２からの遊技球の流出流量を絞ることができる。
以上のように下皿１１は開放位置と閉塞位置、或いはその中間の一部閉塞位置とに変位し、具体的にはスライド移動し、その開放位置、閉塞位置、一部閉塞位置での機能を果たす。
【００２１】
図４を参照して、本発明の実施形態に係るパチンコ遊技機の作用を説明する。
図４−Ａは、下皿１１が右ストッパー１５に当接する位置、即ち第１受入位置に変位（移動）して、遊技球を排出口１２、第１取込口１１ｆから下皿１１を介して球箱７に移送させる状態を示す。
図４−Ｂは、下皿１１が非受入位置に変位（移動）している状態を示す。
図４−Ｃは、下皿１１が左ストッパー１４に当接する位置、即ち第２受入位置に変位（移動）して、遊技球を排出口１２、第２取込口１１ｇから下皿１１を介して球箱７に移送させる状態を示す。
【００２２】
図４−Ａに示すように、先ずパチンコ遊技機は棚板９の上面に配置され、また棚板９の上面に球箱７が一対の位置決め部材８、８に左右両方をガイドされつつ配置される。
下皿１１が第１受入位置、即ち右ストッパー１５に当接する位置に移動した状態においては、下皿パネル３の排出口１２と下皿１１の第１取込口１１ｆとが重なる。上皿５から機内を通って排出される遊技球は、排出口１２及び第１取込口１１ｆを介して、下皿１１の左端部から下皿１１の横幅寸法の４分の１程度中央に寄った位置付近から貯留部１１ａに流入して貯留される。下皿１１に貯留された遊技球は、球抜口１１ｃがレバー１１ｄの操作により開放されると、下皿１１内の右端部から下皿１１の横幅寸法の４分の１程度中央に寄った位置付近にある球抜口１１ｃから球箱７の右半部の中央付近である第１落下位置Ａに落下される。
前記下皿１１が右ストッパー１５に当接する第１受入位置は、下皿１１の排出口開閉手段（後壁部１１ｅ、第１取込口１１ｆ、第２取込口１１ｇ）によって排出口１２が開放された開放位置でもある。
【００２３】
図４−Ｂを参照して、遊技者は上記図４−Ａの状態から下皿１１を水平方向に移動して、第１取込口１１ｆ及び第２取込口１１ｇの何れもが排出口１２に一致しない位置、即ち非受入位置まで移動させることができる。このときには、パチンコ遊技機の機内からの遊技球の排出が連続的に行われる状況にあっても、その排出を後壁部１１ｅによって遮蔽し、一時的に下皿１１への流入を停止させて、貯留量や偏りの増加を防止することができる。
また下皿１１が左方向へ移動したことで、球箱７の上方が右端部から略４分の１程度開放される。これによって、球箱７の様子が見やすくなる。また球箱７内に手を差し入れ易くなる。
図４−Ｂに示す非受入位置は、排出口１２を排出口開閉手段が遮蔽する閉塞位置でもある。
【００２４】
図４−Ｃを参照して、遊技者は下皿１１を左ストッパー１４に当接するまで移動させることで、第２取込口１１ｇを排出口１２に一致させることができる。この第２受入位置では、排出口１２からの遊技球は第２取込口１１ｇを介して、下皿１１の右端部から下皿１１の横幅寸法の３分の１程度中央に寄った位置付近から下皿１１内に流入して貯留される。
第２受入位置において、下皿１１内の貯留遊技球を球箱７に移送させる場合には、下皿１１内の球抜口１１ｃを開放することで、第２受入位置にあるときに球抜口１１ｃが球箱７に臨む第２落下位置Ｂから遊技球を落下させて球箱７内に移送する。
前記第２落下位置は球箱７の左半部の中央付近にあるので、前記第１落下位置Ａと併せて選択的に利用することで、球箱７への遊技球を左右の２箇所に分散して、偏りなく貯留してゆくことができる。
また下皿１１が第２受入位置まで移動すると、球箱７の略右半部が上方に開放される。これによって、球箱７の様子が十分に見やすくなる。また球箱７内に簡単の手を差し入れて、遊技球の貯留状態や偏り状態を判断することができる。
なお前記下皿１１が左ストッパー１４に当接する第２受入位置は、下皿１１の排出口開閉手段（後壁部１１ｅ、第１取込口１１ｆ、第２取込口１１ｇ）によって排出口１２が開放された開放位置でもある。
【００２５】
また前述したように、本実施形態の第１取込口１１ｆは、下皿１１の左端部側に開設され、一方、第２取込口１１ｇ及び球抜口１１ｃは、下皿１１の右端部側に開設されており、更に底部１１ｂは球抜口１１ｃに向かって緩やかな傾斜状に形成されている。このため図４−Ａに示す状態において、下皿１１に第１取込口１１ｆから流入した遊技球は底部１１ｂの略全域を左から右に向かって転動流下して球抜口１１ｃから排出されるのに対して、図４−Ｃに示す状態においては、下皿１１に第２取込口１１ｇから流入した遊技球は底部１１ｂの略右側に限定された領域において転動流下して球抜口１１ｃから排出される。このように下皿１１が図４−Ａに示す位置にあるときは、従来の下皿の作用をなすが、下皿１１が図４−Ｃに示す位置にあるときは、流入した遊技球の転動流下から排出に至る作用を貯留部１１ａの右側の部分のみが担うものであり、左側の部分は作用しないものである。従って下皿１１を図４−Ｃに示す位置に配置することで、貯留部１１ａの左側の部分を、遊技者がタバコや携帯電話等を置く場所として利用することができ、上皿の球抜き作業時における従来の下皿の機能にはない機能を発揮させることが可能となる、という効果も奏するものである。
【図面の簡単な説明】
【００２６】
【図１】本発明の実施形態に係るパチンコ遊技機の正面図である。
【図２】下皿装置の斜視図である。
【図３】下皿装置の分解斜視図である。
【図４−Ａ】下皿が第１受入位置にある状態を示し、下皿の球抜口が開放されている状態を示す図である。
【図４−Ｂ】下皿が非受入位置にある状態を示す図である。
【図４−Ｃ】下皿が第２受入位置にある状態を示し、下皿の球抜口が開放されている状態を示す図である。
【符号の説明】
【００２７】
１      遊技領域
２      上皿パネル
３      下皿パネル
４      幕板
５      上皿
６      発射ハンドル
６ａ    発射ハンドル取付ボス
７      球箱
８      位置決め部材
９      棚板
１０    下皿装置
１１    下皿
１１ａ  貯留部
１１ｂ  底部
１１ｃ  球抜口
１１ｄ  レバー
１１ｅ  後壁部
１１ｆ  第１取込口
１１ｇ  第２取込口
１２    排出口
１３    ガイドレール
１４    左ストッパー
１４ａ  位置決めボス
１４ｂ  取付ビス用皿孔
１５    右ストッパー
１５ａ  位置決めボス
１５ｂ  取付ビス用皿孔
１６    ボス孔
１７    取付ビス
１８    ビス用ネジ孔
Ａ      第１落下位置
Ｂ      第２落下位置
【図１】
0004699107.tif 000002
【図２】
0004699107.tif 000003
【図３】
0004699107.tif 000004
【図４−Ａ】
0004699107.tif 000005
【図４−Ｂ】
0004699107.tif 000006
【図４−Ｃ】
0004699107.tif 000007